(57)【要約】【課題】  光源からの光を効率よく伝達することが可能な発光指針を提供する。【解決手段】  光源５からの光によって照明される指示部１１を備えた発光指針１において、指示部１１の下面１１ｃの指示部１１の長手方向に対して直角方向の断面形状を曲面形状とし、曲面形状の下面１１ｃに、指示部１１の長手方向に対して直角方向で、発光指針１の回転軸の軸方向に対して直角方向の指示部１１の幅よりもせまい幅を有する反射部１１ｄを設けたものである。【選択図】  図２
2009085670.tif 000002
【特許請求の範囲】
【請求項１】
光源からの光によって照明される指示部を備えた発光指針において、前記指示部の前記下面の前記指示部の長手方向に対して直角方向の断面形状を曲面形状とし、前記曲面形状の前記下面に、前記指示部の長手方向に対して直角方向で、前記発光指針の回転軸の軸方向に対して直角方向の前記指示部の幅よりもせまい幅を有する反射部を設けたことを特徴とする発光指針。
【請求項２】
前記反射部は、前記指示部の長手方向で、前記回転軸の軸方向の断面形状が鋸歯形状であることを特徴とする請求項１に記載の発光指針。
【請求項３】
前記鋸歯形状を構成する反射面は、平坦面であることを特徴とする請求項２に記載の発光指針。
【請求項４】
前記鋸歯形状を構成する反射面は、前記指示部の下面に沿った曲面であることを特徴とする請求項２に記載の発光指針。
【請求項５】
前記指示部の上面の前記指示部の長手方向に対して直角方向の断面形状が、曲面形状であることを特徴とする請求項１または請求項２に記載の発光指針。
【発明の詳細な説明】
【技術分野】
【０００１】
本発明は、光源からの光によって照明される指示部を備えた発光指針に関する。
【背景技術】
【０００２】
従来の発光指針は、光源からの光を指針本体内に入射させる受光部を有し、前記受光部から前記光源からの光が入射することによって指示部が発光照明する発光指針であって、前記光源からの光を反射する反射面を、前記指示部の下面に前記指示部の長手方向の断面形状が鋸歯形状となるように形成したものであった（例えば、特許文献１参照）。
【特許文献１】特開平８−２１９８２２号公報
【発明の開示】
【発明が解決しようとする課題】
【０００３】
前記反射面は、前記指示部内での前記光源からの光の伝達を阻害するものであり、従来の発光指針においては、前記指示部の下面の全面に反射面を設けた部分では、前記光源からの光の伝達を阻害していた。
【０００４】
そこで、本発明は、前記光源からの光を効率よく伝達することが可能な発光指針を提供することを目的とするものである。
【課題を解決するための手段】
【０００５】
本発明は、光源からの光によって照明される指示部を備えた発光指針において、前記指示部の前記下面の前記指示部の長手方向に対して直角方向の断面形状を曲面形状とし、前記曲面形状の前記下面に、前記指示部の長手方向に対して直角方向で、前記発光指針の回転軸の軸方向に対して直角方向の前記指示部の幅よりもせまい幅を有する反射部を設けたものである。
【０００６】
また、本発明は、前記反射部は、前記指示部の長手方向の断面形状が鋸歯形状である。
【０００７】
また、本発明は、前記鋸歯形状を構成する反射面は、平坦面である。
【０００８】
また、本発明は、前記鋸歯形状を構成する反射面は、前記指示部の下面に沿った曲面である。
【０００９】
また、本発明は、前記指示部の上面の前記指示部の長手方向に対して直角方向の断面形状が、曲面形状である。
【発明の効果】
【００１０】
本発明によれば、所期の目的を達成でき、前記光源からの光を効率よく伝達することが可能な発光指針を提供することができる。
【発明を実施するための最良の形態】
【００１１】
以下、添付図面に基づいて本発明の実施形態を説明する。
【００１２】
発光指針１は、文字板２とともに指針式計器３を構成するものである。指針式計器３は、発光指針１、文字板２の他に、発光指針１を回転駆動する電動機４と、発光指針１に光を供給する光源５と、回路基板６とを備えている。
【００１３】
本実施形態では、指針式計器３は、車両の速度を表示する速度計である。
【００１４】
文字板２は、貫通孔２ａを備えている。また、目盛や文字などからなる指標部２ｂを備えている。目盛や、この目盛に対応する文字などの指標部２ｂは、貫通孔２ａを中心とした円弧状に設けられている。
【００１５】
電動機４は、ステッピングモータなどであり、この電動機４は、駆動軸４ａを備えており、この駆動軸４ａに固定された発光指針１を、車両の速度に伴い回転駆動する。
【００１６】
光源５は、発光ダイオードなどであり、本実施形態では、複数の発光ダイオードが駆動軸４ａを囲むように設けられている。
【００１７】
回路基板６は、硬質の回路基板６であり、基材のガラスエポキシ樹脂を用いている。この回路基板６の上面（図２中、上側の面）には、光源５が実装されており、下面（図２中、下側の面）には、電動機４が固定されている。回路基板６の表裏面には、図示しない複数の配線パターンが設けられている。これらの配線パターンは、それぞれ電動機４と光源５とに電気的に接続している。また、回路基板６は、貫通した孔６ａを備えており、この孔６ａを電動機４の駆動軸４ａが貫通する。
【００１８】
発光指針１は、回転軸となる駆動軸４ａを中心として回転するものである。
【００１９】
発光指針１は、指示部１１と、指針基部１２と、指針キャップ１３および指針座１４とで構成されている。
【００２０】
本実施形態では、指示部１１と指針基部１２とは一体に形成されている。指示部１１と指針基部１２とは、透明な合成樹脂から構成されている。
【００２１】
指針キャップ１３は、遮光性の合成樹脂からなり、指針基部１２と指針座１４とを覆うものである。
【００２２】
指針座１４も指針キャップ１３と同様に遮光性の合成樹脂からなる。指針座１４は、円盤形状であり、その下面にボス部１４ａを備えており、このボス部１４ａで、駆動軸４ａと連結している。また、指針座１４には、指針基部１２の一部が挿入される孔１４ｂを備えている。
【００２３】
指針基部１２は、円錐の一部を切り取ったような形状をしており、指針座１４の孔１４ｂから露出した面が、光源５からの光を受光する受光面１２ａを構成している。また、受光面１２ａで受光した光を指示部１１側に反射する反射面１２ｂを備えている。
【００２４】
指示部１１は、光源５からの光によって照明されるものである。指示部１１の長手方向に対して直角方向の断面形状は、上面１１ａと両側面１１ｂとは平面であり、下面１１ｃは、曲面形状である。上面１１ａは駆動軸４ａの軸方向に対して直角方向の平面であり、側面１１ｂは駆動軸４ａの軸方向に平行な平面である。
【００２５】
この曲面形状の下面１１ｃには、反射部１１ｄが設けられている。この反射部１１ｄは、指示部１１の長手方向に対して直角方向で、かつ駆動軸４ａの軸方向に対して直角方向の指示部１１の幅よりも狭い幅となるように形成されている。すなわち、図３中、矢印方向から見た場合に、指示部１１の幅よりも、反射部１１ｄの幅が狭く形成されている。また、反射部１１ｄの幅は、曲面形状の下面１１ｃの幅よりも狭く形成されてもいる。
【００２６】
反射部１１ｄは、指示部１１の長手方向で、かつ駆動軸４ａの軸方向の断面形状が鋸歯形状である。この鋸歯形状の反射部１１ｄは、複数の反射面１１ｅで構成されており、この反射面１１ｅは、平坦面である。
【００２７】
以上のように、曲面形状の下面１１ｃに、指示部１１の幅よりもせまい幅を有する反射部１１ｄを設けたことによって、反射面１１ｄを曲面形状の下面１１ｃで拡大されるので、反射部１１ｄを設ける面積を小さくすることができる。この反射部１１ｄを小型化することで、光源５からの光を指示部１１内で効率よく伝達することができる。
【００２８】
なお、反射部１１ｄを構成する反射面１１ｅは、平坦面に限定されるものではなく、図４、図５で示すような第２実施形態や第３実施形態のような形状でもよい。この第２、第３実施形態の反射面１１ｅは、指示部１１の下面１１ｃに沿った曲面である。
【００２９】
図４で示す第２実施形態の反射面１１ｅは、反射面１１ｅの中央部から両端に向かうに従って反射面１１ｅの駆動軸４ａ方向の幅が狭くなるような三日月形状であり、図５で示す第３実施形態の反射面１１ｅは、反射面１１ｅの中央部の駆動軸４ａ方向の幅も両端部の幅も同一となるような扇形状である。
【００３０】
第２、第３実施形態においても、第１実施形態と同様の作用効果を得ることができる。
【００３１】
また、図６で示す第４実施形態は、指示部１１の上面１１ａが、指示部１１の長手方向に対して直角方向の断面形状を曲面形状としたものである。このように構成したことによって、さらに、反射部１１ｄを拡大することができ、さらに反射部１１ｄを小型化することで、光源５からの光を指示部１１内で効率よく伝達することができる。
【図面の簡単な説明】
【００３２】
【図１】本発明の第１実施形態の発光指針を備えた計器の正面図。
【図２】図１中Ａ−Ａ線の断面図。
【図３】図２中Ｂ−Ｂ線の断面図。
【図４】同発明の第２実施形態の断面図。
【図５】同発明の第３実施形態の断面図。
【図６】同発明の第４実施形態の断面図。
【符号の説明】
【００３３】
１      発光指針
５      光源
１１      指示部
１１ａ    上面
１１ｃ    下面
１１ｄ    反射部
１１ｅ    反射面
【図１】
2009085670.tif 000003
【図２】
2009085670.tif 000004
【図３】
2009085670.tif 000005
【図４】
2009085670.tif 000006
【図５】
2009085670.tif 000007
【図６】
2009085670.tif 000008